(57)【要約】【課題】機器の動作状態に合わせて、塵埃捕集手段に対して除塵を行っても、塵埃捕集手段の耐久性を確保し、且つ、高い除塵効果を得られるよう最適な塵埃捕集手段に対する除塵が行える電気掃除機を提供することを目的とする。【解決手段】吸引風を発生する電動送風機２と、塵埃捕集手段に付着した塵埃を除塵する除塵手段２５と、前記除塵手段２５の動作を制御する除塵制御手段２１と、機器の使用状態を検出する状態検出手段２６とを備え、前記除塵制御手段２１が、前記状態検出手段２６が検出した状態に基づいて、前記除塵手段２５の動作間隔を可変してなるもので、必要とされる量の除塵を行うので、前記塵埃捕集手段の耐久性に悪影響を与えることなく、高い除塵効果を得ることができる。【選択図】  図１
2004154212.tif 000002
【特許請求の範囲】
【請求項１】
吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記状態検出手段が検出した状態に基づいて、前記除塵手段の動作間隔を可変してなる電気掃除機。
【請求項２】
除塵手段の動作間隔を計時する間隔計時手段を備え、前記間隔計時手段が計時した時間が、状態検出手段が検出した状態に基づいて決定された動作間隔と一致したとき、除塵手段の動作を停止させる請求項１記載の電気掃除機。
【請求項３】
状態検出手段を、除塵手段の動作回数を計数する計数手段で構成し、前記計数手段が計数した回数に基づいて、除塵制御手段が、前記除塵手段の動作間隔を可変する請求項１または２記載の電気掃除機。
【請求項４】
状態検出手段を、電動送風機の入力を検出する電動送風機入力検出手段で構成し、除塵制御手段が、前記電動送風機入力検出手段が検出した入力値に基づいて、除塵手段の動作間隔を可変する請求項１〜３のいずれか１項に記載の電気掃除機。
【請求項５】
状態検出手段を、吸引された塵埃の量を検出する塵埃量検出手段で構成し、除塵制御手段が、前記塵埃量検出手段が検出した塵埃の量に基づいて、除塵手段の動作間隔を可変する請求項１〜３のいずれか１項に記載の電気掃除機。
【請求項６】
状態検出手段を、吸引された塵埃の質を検出する塵埃質検出手段で構成し、除塵制御手段が、前記塵埃質検出手段が検出した吸引される塵埃の質に基づいて、除塵手段の動作間隔を可変する請求項１〜３のうちいずれか１項に記載の電気掃除機。
【請求項７】
状態検出手段を、湿度を検出する湿度検出手段で構成し、除塵制御手段が、前記湿度検出手段が検出した湿度に基づいて、除塵手段の動作間隔を可変する請求項１〜３のいずれか１項に記載の電気掃除機。
【請求項８】
状態検出手段を、機器に供給される電源の電圧値を検出する電圧検出手段で構成し、除塵制御手段が、前記電圧検出手段が検出した電圧値に基づいて、除塵手段の動作間隔を可変する請求項１〜３のいずれか１項に記載の電気掃除機。
【請求項９】
状態検出手段を、電動送風機が動作する動作時間を計時する動作計時手段で構成し、除塵制御手段が、前記動作計時手段が計時した時間に基づいて、除塵手段の動作間隔を可変する請求項１〜３のいずれか１項に記載の電気掃除機。
【請求項１０】
吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記除塵制御手段に電力が供給された後、１回のみ前記除塵手段を動作させる電気掃除機。
【請求項１１】
除塵制御手段は、機器に電源が供給された直後に除塵手段を動作させる請求項１０記載の電気掃除機。
【請求項１２】
吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記状態検出手段が検出した状態に基づいて、前記除塵手段の動作強度を可変してなる電気掃除機。
【請求項１３】
状態検出手段を、電動送風機の入力を検出する電動送風機入力検出手段で構成し、除塵制御手段が、前記電動送風機入力検出手段が検出した入力値に基づいて、除塵手段の動作強度を可変する請求項１２記載の電気掃除機。
【請求項１４】
状態検出手段を、吸引された塵埃の量を検出する塵埃量検出手段で構成し、除塵制御手段が、前記塵埃量検出手段が検出した塵埃の量に基づいて除塵手段の動作強度を可変する請求項１２記載の電気掃除機。
【請求項１５】
状態検出手段を、吸引された塵埃の質を検出する塵埃質検出手段で構成し、除塵制御手段が、前記塵埃質検出手段が検出した吸引された塵埃の質に基づいて、除塵手段の動作強度を可変する請求項１２記載の電気掃除機。
【請求項１６】
状態検出手段を、湿度を検出する湿度検出手段で構成し、除塵制御手段が、前記湿度検出手段が検出した湿度に基づいて、除塵手段の動作強度を可変する請求項１２記載の電気掃除機。
【請求項１７】
状態検出手段を、機器に供給される電源の電圧値を検出する電圧検出手段で構成し、除塵制御手段が、前記電圧検出手段が検出した電圧値に基づいて除塵手段の動作強度を可変する請求項１２記載の電気掃除機。
【請求項１８】
状態検出手段を、電動送風機が動作する動作時間を計時する動作計時手段で構成し、除塵制御手段が、前記動作計時手段が計時した時間に基づいて、除塵手段の動作強度を可変する請求項１２記載の電気掃除機。
【請求項１９】
塵埃量検出手段を、吸引風の風量を検出する風量検出手段とした請求項５または１４記載の電気掃除機。
【請求項２０】
塵埃量検出手段を、塵埃捕集手段の吸引下流側の真空圧を検出する圧力検出手段とした請求項５または１４記載の電気掃除機。
【請求項２１】
塵埃量検出手段を、電動送風機もしくは前記電動送風機の近傍の温度を検出する温度検出手段とした請求項５または１４記載の電気掃除機。
【請求項２２】
塵埃質検出手段を、床面の種類を検出する床面検出手段とした請求項６または１５記載の電気掃除機。
【発明の詳細な説明】
【０００１】
【発明の属する技術分野】
本発明は、一般家庭用、もしくは業務用の電気掃除機の制御に関するものである。
【０００２】
【従来の技術】
図１１に、従来の電気掃除機の概略構成図を示す。
【０００３】
１は電気掃除機本体であり、２は本体１に内蔵し、吸い込み力を発生する電動送風機であり、３は、操作手段４を有したホースであり、５は延長管であり、６は床面に接して床面の塵埃等を吸引するための床用吸い込み具であり、床面の塵埃を掻き上げる回転ブラシ７と、回転ブラシ７を回転駆動する電動機８を内蔵している。
【０００４】
本体１には、塵埃を蓄積しておく塵埃捕集手段である集塵室９と、吸い込み口１０と連通口１１を有しており、電動送風機２の吸気口へは、連通口１１を介して集塵室９から吸引風が流入する。ホース３は、本体１の吸い込み口１０と、着脱自在に接続される構成となっている。１２は、本体１と商用電源を接続して、商用電源から電気掃除機へと電力を導くための電源コンセントである。電源コンセント１２が商用電源に接続された状態で、使用者が操作手段４を操作し、制御手段（図示せず）により電動送風機２が動作を開始して、吸引風が発生すると、床用吸い込み具６、延長管５、ホース３、吸い込み口１０、集塵室９、連通口１１を経由して、電動送風機２に吸引風が流入する。これらで、吸気経路を構成している。また、近年では、集塵室９内に塵埃のフィルターも兼ねた塵埃捕集手段である集塵袋を装着して、吸引風が集塵袋を経由することにより、塵埃を含んだ吸引風が集塵袋で濾過され、塵埃のみが集塵袋に蓄積されるものが主流になっている。
【０００５】
このように、電動送風機２に対して、吸気経路の上流側に塵埃捕集手段である集塵袋などのフィルターを装着すると、吸引風が流れる部位に塵埃等が付着し、目詰まりが発生して、吸引力が低下するため、集塵袋やフィルターを除塵して吸引力を回復するものが出願されている（例えば、特許文献１、特許文献２参照。）。
【０００６】
【特許文献１】
特開平５−９１９６２号公報
【特許文献２】
実公昭６０−２０３５８号公報
【０００７】
【発明が解決しようとする課題】
しかしながら上記従来技術においては、塵埃捕集手段に対する除塵の時期が使用者に依存するものであったり、また、機器の動作に対して、最適な時期での除塵動作を行っていないため、大きな除塵効果が得られないものであった。また、頻繁な除塵により、塵埃捕集手段である集塵袋やフィルターの耐久性に悪影響を与えるという課題を有していた。
【０００８】
本発明は、上記課題を解決するもので、機器の動作状態に合わせて、塵埃捕集手段に対して除塵を行っても、塵埃捕集手段の耐久性を確保し、且つ、高い除塵効果を得られるよう最適な塵埃捕集手段に対する除塵が行える電気掃除機を提供することを目的とする。
【０００９】
【課題を解決するための手段】
上記目的を達成するために本発明は、吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記状態検出手段が検出した状態に基づいて、前記除塵手段の動作間隔を可変してなるものである。
【００１０】
これにより、使用者の操作に依存せず、機器の動作状況に基づいて、前記塵埃捕集手段への塵埃の付着度合いや、塵埃の状況等により、必要とされる量の除塵を行うので、前記塵埃捕集手段の耐久性に悪影響を与えることなく、高い除塵効果を得ることができる。
【００１１】
【発明の実施の形態】
本発明の請求項１記載の発明は、吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記状態検出手段が検出した状態に基づいて、前記除塵手段の動作間隔を可変してなるもので、必要とされる量の除塵を行うので、前記塵埃捕集手段の耐久性に悪影響を与えることなく、高い除塵効果を得ることができる。
【００１２】
本発明の請求項２記載の発明は、除塵手段の動作間隔を計時する間隔計時手段を備え、前記間隔計時手段が計時した時間が、状態検出手段が検出した状態に基づいて決定された動作間隔と一致したとき、除塵手段の動作を停止させるもので、状態検出手段が検出した状態により、塵埃捕集手段に付着する塵埃が多くなる状態では、除塵制御手段が除塵手段を動作させる時間間隔を短くし、吸引能力を維持できるようにするとともに、付着する塵埃が少なくなる状態では、時間間隔を長くすることで、塵埃捕集手段の耐久性を向上することができる。
【００１３】
本発明の請求項３記載の発明は、状態検出手段を、除塵手段の動作回数を計数する計数手段で構成し、前記計数手段が計数した回数に基づいて、除塵制御手段が、前記除塵手段の動作間隔を可変するもので、塵埃捕集手段に付着する塵埃が多くなる状態では、除塵制御手段が除塵手段を動作させる回数を多くして、吸引能力を維持できるようにするとともに、付着する塵埃が少なくなる状態では、回数を少なくして、塵埃捕集手段の耐久性を向上することができるとともに、除塵を行うタイミングが固定されて、安定した除塵効果を得ることができる。
【００１４】
本発明の請求項４記載の発明は、状態検出手段を、電動送風機の入力を検出する電動送風機入力検出手段で構成し、除塵制御手段が、前記電動送風機入力検出手段が検出した入力値に基づいて、除塵手段の動作間隔を可変するもので、前記電動送風機の入力が高く、吸引する塵埃量が多い時は、除塵制御手段が除塵手段を動作させる間隔を短くし、吸引能力を維持できるようにするとともに、入力が低く、吸引する塵埃が少ない時は、間隔を長くすることで、塵埃捕集手段の耐久性を向上することができる。
【００１５】
本発明の請求項５記載の発明は、状態検出手段を、吸引された塵埃の量を検出する塵埃量検出手段で構成し、除塵制御手段が、前記塵埃量検出手段が検出した塵埃の量に基づいて、除塵手段の動作間隔を可変するもので、吸引される塵埃量に対して、高精度で除塵の頻度を設定することができる。
【００１６】
本発明の請求項６記載の発明は、状態検出手段を、吸引された塵埃の質を検出する塵埃質検出手段で構成し、除塵制御手段が、前記塵埃質検出手段が検出した吸引される塵埃の質に基づいて、除塵手段の動作間隔を可変するもので、塵埃捕集手段に付着しやすい塵埃と、比較的付着しにくい塵埃とに基づいて、高精度で除塵の頻度を設定することができる。
【００１７】
本発明の請求項７記載の発明は、状態検出手段を、湿度を検出する湿度検出手段で構成し、除塵制御手段が、前記湿度検出手段が検出した湿度に基づいて、除塵手段の動作間隔を可変するもので、吸引された塵埃の塵埃捕集手段への付着度合いが湿度に影響されても、湿度に基づいて高精度で除塵の頻度を設定することができ、最適な除塵を行うことができる。
【００１８】
本発明の請求項８記載の発明は、状態検出手段を、機器に供給される電源の電圧値を検出する電圧検出手段で構成し、除塵制御手段が、前記電圧検出手段が検出した電圧値に基づいて、除塵手段の動作間隔を可変するもので、前記除塵手段の除塵効果が電源の電圧に影響されても、電圧に応じた除塵の動作間隔として、１回の動作による除塵効果を補うことにより、電源電圧の変化に対して最適な除塵効果を得ることができる。
【００１９】
本発明の請求項９記載の発明は、状態検出手段を、電動送風機が動作する動作時間を計時する動作計時手段で構成し、除塵制御手段が、前記動作計時手段が計時した時間に基づいて、除塵手段の動作間隔を可変するもので、機器の動作時間に基づいて吸引された塵埃量に対し、最適な除塵間隔を設定することができる。
【００２０】
本発明の請求項１０記載の発明は、吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記除塵制御手段に電力が供給された後、１回のみ前記除塵手段を動作させるもので、除塵による吸引性能を維持しながら、特に、塵埃捕集手段の耐久性を向上することができる。
【００２１】
本発明の請求項１１記載の発明は、除塵制御手段は、機器に電源が供給された直後に除塵手段を動作させるもので、塵埃捕集手段の耐久性を維持しながら、使用者の掃除開始時より、高い吸引性能を得ることができる。
【００２２】
本発明の請求項１２記載の発明は、吸引風を発生する電動送風機と、吸引された塵埃を捕集する塵埃捕集手段と、前記塵埃捕集手段に付着した塵埃を除塵する除塵手段と、前記除塵手段の動作を制御する除塵制御手段と、機器の使用状態を検出する状態検出手段とを備え、前記除塵制御手段が、前記状態検出手段が検出した状態に基づいて、前記除塵手段の動作強度を可変してなるもので、機器の使用状態に応じた必要とされる強度の除塵を行い、前記塵埃捕集手段の耐久性に悪影響を与えることなく、高い除塵効果を得ることができる。
【００２３】
本発明の請求項１３記載の発明は、状態検出手段を、電動送風機の入力を検出する電動送風機入力検出手段で構成し、除塵制御手段が、前記電動送風機入力検出手段が検出した入力値に基づいて、除塵手段の動作強度を可変するもので、前記電動送風機の入力が高く、吸引する塵埃量が多い時は、除塵制御手段が除塵手段を動作させる強度を強くし、吸引能力を維持できるようにするとともに、入力が低く、吸引する塵埃が少ない時は、強度を弱くし、塵埃捕集手段の耐久性を向上することができる。
【００２４】
本発明の請求項１４記載の発明は、状態検出手段を、吸引された塵埃の量を検出する塵埃量検出手段で構成し、除塵制御手段が、前記塵埃量検出手段が検出した塵埃の量に基づいて除塵手段の動作強度を可変するもので、吸引される塵埃量に対して、高精度で除塵の強度を設定することができる。
【００２５】
本発明の請求項１５記載の発明は、状態検出手段を、吸引された塵埃の質を検出する塵埃質検出手段で構成し、除塵制御手段が、前記塵埃質検出手段が検出した吸引された塵埃の質に基づいて、除塵手段の動作強度を可変するもので、塵埃捕集手段に付着しやすい塵埃と、比較的付着しにくい塵埃とに基づいて、高精度で除塵の強度を設定することができる。
【００２６】
本発明の請求項１６記載の発明は、状態検出手段を、湿度を検出する湿度検出手段で構成し、除塵制御手段が、前記湿度検出手段が検出した湿度に基づいて、除塵手段の動作強度を可変するもので、吸引された塵埃の塵埃捕集手段への付着度合いが湿度に影響されても、湿度に基づいて高精度で除塵の強度を設定することができ、最適な除塵を行うことができる。
【００２７】
本発明の請求項１７記載の発明は、状態検出手段を、機器に供給される電源の電圧値を検出する電圧検出手段で構成し、除塵制御手段が、前記電圧検出手段が検出した電圧値に基づいて除塵手段の動作強度を可変するもので、電源電圧が低ければ、除塵の強度を強くするよう動作し、電源電圧が高ければ、除塵の強度を弱くするように動作することにより、電源電圧の変化による影響を補うように動作し、電源電圧の変化に対して最適な除塵効果を得ることができる。
【００２８】
本発明の請求項１８記載の発明は、状態検出手段を、電動送風機が動作する動作時間を計時する動作計時手段で構成し、除塵制御手段が、前記動作計時手段が計時した時間に基づいて、除塵手段の動作強度を可変するもので、機器の動作時間に基づいて吸引された塵埃量に対し、最適な除塵の強度を設定することができる。
【００２９】
本発明の請求項１９記載の発明は、塵埃量検出手段を、吸引風の風量を検出する風量検出手段としたもので、吸引した塵埃量に基づいて、吸引能力に影響する吸引風量の低下を検出し、塵埃捕集手段の塵埃による目詰まりに対して、高精度な塵埃量検出を行うことができる。
【００３０】
本発明の請求項２０記載の発明は、塵埃量検出手段を、塵埃捕集手段の吸引下流側の真空圧を検出する圧力検出手段としたもので、塵埃捕集手段の塵埃による目詰まりに対して、高精度な塵埃量検出を行うことができるとともに、真空圧の塵埃捕集手段の耐久性への影響を低減することができる。
【００３１】
本発明の請求項２１記載の発明は、塵埃量検出手段を、電動送風機もしくは前記電動送風機の近傍の温度を検出する温度検出手段としたもので、吸引した塵埃による温度上昇を低減することができる。
【００３２】
本発明の請求項２２記載の発明は、塵埃質検出手段を、床面の種類を検出する床面検出手段としたもので、床面の種類に基づいて、最適な除塵を行え、塵埃捕集手段の耐久性を維持することができる。
【００３３】
【実施例】
（実施例１）
以下本発明の第１の実施例を、図１〜図３を参照しながら説明する。なお、従来と同一構成部品については、同一符号を付し、説明を省略する。図１は、本実施例における電気掃除機の動作のブロック図であり、図２は構成図である。
【００３４】
図１、図２において、２０は電動送風機２への供給電力、すなわち入力を制御する制御手段であり、２１は、除塵制御手段である振動制御手段であり、後述する電磁石２４のオンとオフを制御する。
【００３５】
２５は除塵手段である振動装置であり、集塵室９内に装着される塵埃捕集手段としての集塵袋１３を振動させる振動板２３と、振動板２３を動作させる電磁石２４とで構成され、振動板２３は、電磁石２４のアクチュエータ２７に取り付けられ、アクチュエータ２７が動くことで、振動板２３が動作する構成となっている。
【００３６】
アクチュエータ２７は磁石でできており、電磁石２４がオンされて交流電源に接続されることにより発生する交流磁界により、交流周波数に同期して往復運動を行う。それによりアクチュエータ２７に取り付けられた振動板も往復運動を行って、集塵袋１３を周期的にたたく動作となり、集塵袋１３の連通口１１付近に付着した塵埃を除くことができる。
【００３７】
制御手段２０と振動制御手段２１は、マイクロコンピュータ２２で構成され、操作手段４から入力される、使用者が操作した信号に基づいて、電動送風機２の入力と振動装置２５を制御する。２６は状態検出手段であり、本実施例においては電動送風機２への供給電力、すなわち、入力を検出する入力検出手段である。２８は、振動制御手段２１が、振動装置２５を動作を終了してからの再度開始するまでの時間を計時する間隔計時手段であり、２９は状態検出手段としての動作計時手段であり、状態検出手段２６、間隔計時手段２８、動作計時手段２９は、マイクロコンピュータ２２内で構成される。
【００３８】
上記構成において、その動作を説明する。
【００３９】
制御手段２０は、電動送風機２へ供給する電力、即ち入力のポジションとして図３に示すように「強」、「中」、「弱」と、３つの動作ポジションと、電動送風機２への供給電力を停止しする「切り」の停止ポジションを有して制御している。これら４つのポジションは、使用者が操作手段４を操作することにより切り替えられる構成となっている。
【００４０】
電動送風機２が動作して、吸引力が発生すると、塵埃が吸引風とともに吸い込み口１０から集塵袋１３に吸引される。集塵袋１３は、フィルターとしての役目も果たしており、塵埃は、集塵袋１３によって捕集され、塵埃を取り除いた吸引風のみが、連通口１１を経由して電動送風機２に吸引され、集塵袋１３に塵埃が蓄積される。この時、吸引風は必ず集塵袋１３内の連通口１１付近を通過するため、この近辺に最も塵埃が付着しやすくなり、目の細かい細塵は、特に付着しやすくなる。この近辺に塵埃が付着すると、集塵袋１３にあまり塵埃が蓄積していなくても、吸引力が低下し、掃除の効率が悪化する。そこで、図２に示すように、振動板２３で集塵袋１３の連通口１１付近に振動を与え、集塵袋１３の連通口１１付近に付着した塵埃をはたき落とすことにより、吸引風量を復帰させ、掃除の効率を維持することができる。
【００４１】
集塵袋１３への塵埃の付着は、電動送風機２の入力が高く、吸引風量が高いほど、付着しやすく、吸引風量を高く維持して吸引能力を維持するためには、電動送風機２の入力が低いときより頻繁な除塵が必要になる。また、電動送風機２への入力が低い状態で、高い状態と同じ頻度で除塵を行っても、頻度の割に除塵効果を得にくく、振動により集塵袋１３の耐久性に悪影響を与えてしまう恐れがある。
【００４２】
間隔計時手段２８は、振動装置２５がオフした後、時間計時を開始し、所定時間経過すると、振動制御手段２１に送信することで、前記振動制御手段２１は、振動装置２５を再度オンさせ、その後、振動装置２５の動作を終了するが、この時、間隔計時手段２８の計時する時間をリセットし、間隔計時手段２８は、振動装置２５の動作終了時からの時間の計時を再度開始する。
【００４３】
なお、前記間隔計時手段２８が計時する時間は、電磁石２４がオンされて交流電源に接続されることにより発生する交流磁界により、交流周波数に同期して往復運動を行う。それによりアクチュエータ２７に取り付けられた振動板も往復運動を行うが、その１回の往復運動間の動作間隔でも良いし、また、複数の往復運動を１単位として、その１単位の往復運動間の動作間隔でも良い。
【００４４】
状態検出手段２６は、制御手段２０が制御する電動送風機２への供給電力設定値を振動制御手段２１に出力している。振動制御手段２１は、図３中に示すように、電動送風機２の供給電力に対して、区分Ａ、区分Ｂ、区分Ｃと入力レベルを区分している。ここでは、区分Ａは「強」ポジション、区分Ｂは「中」ポジション、区分Ｃは「弱」ポジションとなる。それぞれの区分において、間隔計時手段２８が計時し、振動装置２５の動作が停止してから再度動作するまでの時間である動作間隔を決定する所定値を、区分ＡではＴＡ、区分ＢではＴＢ、区分ＣではＴＣを、ＴＡ＜ＴＢ＜ＴＣとなるように有している。これにより、電動送風機２への供給電力が高くなるほど、振動制御手段２１が振動装置２５を動作させる間隔が短くなり、吸引能力を維持できるようになるとともに、供給電力が低いときは、間隔が長くなり、集塵袋１３の耐久性を向上することができる。
【００４５】
同様に、電動送風機２への供給電力が高くなるほど、振動制御手段２１が振動装置２５を動作させる強度を強くすることにより、吸引能力を維持できるようになるとともに、供給電力が低い時は、強度を弱くすることにより、集塵袋１３の耐久性を向上することができる。
【００４６】
また、電動送風機２の動作時間が長いと、それだけ吸引された塵埃も多く、また、集塵袋１３に付着する塵埃も多くなり、動作時間が短いと逆に少なくなり、頻繁に除塵を行う必要も無く、強度を強くする必要も無くなってくる。
【００４７】
動作計時手段２９は、振動制御手段２１が、振動装置２５を動作させてからの電動送風機２の動作時間を計時しており、振動制御手段２１は、動作計時手段２９の計時する動作時間が長ければ、間隔計時手段２８の計時する間隔時間に対して短い判定値を設定し、動作時間が短ければ、間隔時間の判定値を長く設定して判断することにより、電動送風機２の動作時間に対して、吸引能力を維持できるとともに、集塵袋１３の耐久性を向上することができる。
【００４８】
同様に、動作時間が短ければ、振動制御手段２１が振動装置２５を動作させる強度を弱く、動作時間が長ければ強く設定することにより、電動送風機２の動作時間に対して、吸引能力を維持できるとともに、集塵袋１３の耐久性を向上することができる。
【００４９】
（実施例２）
以下本発明の第２の実施例を、図３、図４を参照しながら説明する。なお、従来と同一構成部品については、同一符号を付し、説明を省略する。
【００５０】
図４において、４０は、集塵袋１３に吸引される塵埃の量を検出する状態検出手段としての塵埃量検出手段であり、４１は塵埃量検出手段４０としての風量検出手段であり、塵埃の量が多くなると吸引風量が低下するので吸引風量に基づいて塵埃の量を検出できる。４２は、塵埃量検出手段４０としての圧力検出手段であり、集塵袋１３の吸引風量の下流側の圧力を検出するよう設けられ、塵埃の量が多くなると真空圧が上昇するので真空圧に基づいて塵埃の量を検出できる。４３は、塵埃量検出手段４０としての温度検出手段であり、電動送風機２、もしくは、電動送風機２の近傍の温度を検出するよう設けられ、塵埃の量が多くなると電動送風機２の温度が上昇するので温度に基づいて塵埃の量を検出できる。
【００５１】
上記構成において、その動作を説明する。
【００５２】
実施例１と同様に、図３に示すように、振動制御手段２１において、風量検出手段４１が検出した風量に対し、区分Ｑ１、区分Ｑ２、区分Ｑ３と分割し、区分Ｑ１ではＴＱ１、区分Ｑ２ではＴＱ２、区分Ｑ３ではＴＱ３をＴＱ１＞ＴＱ２＞ＴＱ３となるように有して、風量が低くなるほど、つまり、塵埃量が多くなるほど、除塵の頻度を上げることにより、塵埃量に対し、最適な除塵を行うことができる。
【００５３】
また、吸引した塵埃の量が多くなり、集塵室９内の真空圧が高くなると、集塵袋１３にも圧力がかかるので、集塵袋１３の耐久性に悪影響を及ぼしてしまう。
【００５４】
そこで、同様に、塵埃量検出手段４０を集塵袋１３の下流側の圧力検出手段４２で構成することにより、圧力に対して、真空圧が高くなるほど、つまり、塵埃量が多くなるほど、除塵の頻度を上げることにより、塵埃量に対し、最適な除塵を行うことができ、また、真空圧による集塵袋１３の耐久性への影響も低減することができる。
【００５５】
また、塵埃量が多くなり、吸引風量が低下してくると、電動送風機２を通過する風量も低下してくる。電動送風機２を通過する風量は、電動送風機２の冷却効果も有している。集塵袋１３に付着する塵埃量が増加し、吸引風量が低下すると電動送風機２とその近傍温度は、集塵袋１３に塵埃が付着していない時と比較して高くなる。温度検出手段４３は、この温度を検出し、振動制御手段２１は、温度検出手段４３が検出した温度に対し、温度が高ければ、間隔計時手段２８の計時する時間に対して判定時間を短く設定し、温度が低ければ長く設定することにより、温度に対して、温度が高くなるほど、つまり、塵埃量が多くなるほど、除塵の頻度を上げることにより、塵埃量に対し、最適な除塵を行うことができ、また、除塵を行うことにより、電動送風機２の温度を低下することができる。
【００５６】
尚、除塵の頻度と同様に、振動制御手段２１が振動装置２５を動作させる強度を制御することにより、塵埃量に対し、最適な除塵を行うことができる。
【００５７】
（実施例３）
以下本発明の第３の実施例を、図５〜図９を参照しながら説明する。なお、従来と同一構成部品については、同一符号を付し、説明を省略する。
【００５８】
図５において、５０は、振動制御手段２１が振動装置２５を動作させる時期の回数を計数する計数手段であり、５１は状態検出手段としての塵埃質検出手段であり、使用者が掃除している時にどのような質の塵埃が吸引されているかを検出する。５１は、更に、塵埃質検出手段としての床面検出手段であり、どのような床面で機器が使用されているかを検出する。
【００５９】
塵埃質検出手段５１は、図６に示すように、発光素子５３と受光素子５４と、受光素子５４から出力される信号を判断する判断部５５から構成される。発光素子５３と受光素子５４は、ホース３が本体１に接続される接続部５６に設けられている。
【００６０】
上記構成において、その動作を説明する。
【００６１】
振動制御手段２１は、電動送風機２が動作状態から停止状態、つまり、「強」「中」「弱」ポジションの何れかから、「停止」になって、所定の遅延時間経過した時点を、振動装置２５が動作可能な時期として有しており、計数手段５０の計数する回数が所定回数に到達していれば振動装置２５をオンし、動作させる。この時、振動制御手段２１は、計数手段の計数する回数をリセットし、計数手段５０は、所定の回数の計数を再度開始する。計数手段５０は、使用者が操作手段４を操作して、電動送風機２が動作状態から「停止」に移行する毎にカウントアップを行う。
【００６２】
この、振動装置２５をオンするタイミングは、電動送風機２による吸引風がない状態に設定されており、除塵を行う時には、１回の除塵動作で大きな除塵効果を得ることができる。
【００６３】
塵埃が吸引されて、発光素子３３と受光素子３４の間を通過すると、受光素子３４の出力Ｖｏｕｔは、塵埃が通過していない時、即ち、受光しているときはＨレベル、通過している時、即ち、受光していないと時はＬレベルの信号を出力するので、Ｖｏｕｔにおいて、図８に示すようなパルス状の電圧波形が出力される。通過する塵埃が、目が細かい細塵であれば、細塵を構成する粒子の数量は非常に多く、また、単位時間あたりに通過する量も多いので、図８（ａ）に示すように、パルス幅の狭い波形が出力され、比較的大きなゴミであれば、単位時間あたりに通過する量も少なく、受光素子３４の受光する光を遮っている時間も長いので、図８（ｂ）に示すように、パルス幅の広い波形が出力される。
【００６４】
判断手段３５は、このパルス幅を計測しており、パルス幅に対して、ゴミ質判定値Ｔｇを有して、パルス幅がＴｇより短ければ、細塵のように吸引風がなくなっても集塵袋１３に付着する質のごみであり、Ｔｇより長ければ、紙屑のような大きく吸引風がなくなると集塵袋１３に付着せず、除塵しやすいごみであると判断する。
【００６５】
集塵袋１３に吸引された塵埃は、細塵であれば、集塵袋１３に付着しやすく、また、吸引風の有無に関わらず、付着した状態から除去し難い傾向があり、大きなごみは吸引風があれば集塵袋に付着し易いが、吸引風がなければ集塵袋１３に付着し難い傾向がある。
【００６６】
振動制御手段２１は、細塵の様なごみが吸引されているときは、計数手段５０の計数する回数に対しての判定値をＫ１、紙屑のようなごみに対してＫ２の判定値を、Ｋ１＜Ｋ２となるように設定して有することにより、細塵のような集塵袋１３に付着して取れにくい質のごみが吸引されている時は、振動装置２５を動作させる頻度上げて吸引性能を継続的に維持し、紙屑のような比較的付着しにくいごみの場合は、振動装置２５を動作させる頻度を下げて、集塵袋１３の耐久性を確保することができる。
【００６７】
また、床面検出手段５２の構成についても、塵埃質検出手段５１と同様に図６、図７に示す構成と同様になり、判断手段５５の判断が異なるのみとなる。
【００６８】
受光素子３４の出力Ｖｏｕｔは、図９に示すように、床面の種類が絨毯とフロアでは異なり、フロアでは、図９（ｂ）に示すように、塵埃が床面に多く存在する時のみ、Ｖｏｕｔにパルス波形が出力され、塵埃が存在しないときは、Ｌレベルの状態となるのに対して、絨毯では、植毛された毛や、奥深く入り込んだ塵埃等が単発的に発光素子３３と受光素子３４の間を通過するため、フロアと比較して、絨毯上に塵埃が存在しなくても、使用者の掃除動作に同期して図９（ａ）に示すような単発のパルスが現れる。
【００６９】
判断手段３５は、予め設定した周期Ｔｙ１の間のパルス数をカウントしており、このカウント数が所定カウント数以上の状態が、判定周期Ｔｙの間継続したら、床面が絨毯であると判断し、そうでなければフロアであると判断する。フロア上に存在するごみは、埃や塵が主であるのに対して、絨毯上のごみは、繊維質のものが多く含まれる傾向にある。
【００７０】
埃や塵は、集塵袋１３に付着すると、集塵袋１３の目詰まりを引き起こし、吸引風量が低下し、吸引能力の低下につながるが、繊維質のごみは、集塵袋１３に付着しても、ゴミ同士の間に隙間があり、塵や埃ほど吸引風量の低下を引き起こさないため、除塵による、吸引能力の復帰が、塵や埃ほど期待できない。
【００７１】
振動制御手段２１は、掃除されている床面が絨毯である時には、計数手段５０の計数する回数に対しての判定値をＫ３、フロアである時にはＫ４の判定値を、Ｋ３＞Ｋ４となるように設定して有することにより、フロアでの細塵等が多い床面で掃除されている時は、振動装置２５の動作する頻度を上げて吸引性能を継続的に維持し、絨毯での繊維質のごみの多い絨毯で掃除されている時は、振動装置２５を動作させる頻度を下げて、集塵袋１３の耐久性を確保することができる。
【００７２】
更に、電源コンセント１２が商用電源に接続され、機器に電力が供給された直後、つまり、マイクロコンピュータ２２が動作開始した直後を、振動装置２５が動作可能な時期として有する構成とし、計数手段５０で計数される回数が１回になると、以降、振動装置２５をオンさせないよう、振動制御手段２１が振動装置２５を制御することにより、使用者が掃除を開始するときは、吸引性能を復帰させた状態で使用できるとともに、特に、集塵袋１３の耐久性を向上することができる。
【００７３】
尚、本実施例において、状態検出手段として、吸引される塵埃の質を検出する塵埃質検出手段５１としたが、状態検出手段を操作手段４とし、マイクロコンピュータ２２が、使用者が操作して移行する特定のポジションへの移行回数を判定回数として有して除塵を行っても良い。
【００７４】
（実施例４）
以下本発明の第４の実施例を、図１０を参照しながら説明する。なお、従来と同一構成部品については、同一符号を付し、説明を省略する。
【００７５】
図１０において、６２は、機器に電力を供給する電源であり、６０は、電源６２の電圧を検出する電圧検出手段であり、６１は空気中の湿度を検出する湿度検出手段である。
【００７６】
以下、上記構成による動作を説明する。
【００７７】
集塵袋１３に付着した塵埃の除塵においては、環境条件や使用条件により、除塵装置２５を全く同じ動作をさせても除塵の効果が得られない場合もある。
【００７８】
例えば、塵埃の集塵袋１３への付着の強さ、すなわち、除塵を行った時の、除去し易さは、空気中の湿度が低く、塵埃が乾燥している方が除去しやすく、湿っているときは除去しにくい。
【００７９】
湿度検出手段６１は、吸引される空気の湿度を検出しており、振動制御手段２１は湿度検出手段６１が検出した湿度情報により、湿度が所定の湿度より高ければ、除塵の頻度を上げることにより、湿度が所定の湿度より高い時の除塵効果を向上することができ、湿度が所定の湿度より低ければ、除塵の頻度を下げることにより、除塵効果を得ながら、集塵袋１３の耐久性を向上し、効率的に除塵動作を行うことができる。所定の湿度より高い時は、除塵の強度を上げ、低い時は強度を下げることにより、同様の効果を得ることができる。
【００８０】
また、除塵装置２５の電磁石２４は、電源６２の供給電圧が高くなれば振動板２３を振動させる力が強くなり、供給電圧が低くなれば振動板２３を振動させる力が弱くなる。振動板２３を振動させる力が強い状態で振動装置２５の動作を継続すると、振動により集塵袋１３の耐久性に影響を与える可能性があり、また、振動させる力が弱いと除塵の効果を得難くなる。
【００８１】
電圧検出手段６０は、電源６２の電圧を検出しており、振動制御手段２１は、電圧検出手段６０が検出した電圧が低ければ、振動装置２５の動作する頻度を多くして、振動の強度が不足する部分を回数で補い、除塵効果を得られるように動作させ、電圧が高ければ頻度を低下して、過振動による集塵袋１３への影響を少なくすることができる。
【００８２】
また、振動制御手段２１は、電圧検出手段６０が検出した電圧が低ければ、振動装置２５を動作させる強度を強くすることにより、電源電圧の低下による影響を無くすことができるとともに、電圧が高ければ、強度を弱くすることにより、過振動による集塵袋１３への影響を無くすことができる。
【００８３】
【発明の効果】
以上のように本発明によれば、機器の動作状態に合わせて、塵埃捕集手段に対して除塵を行っても、塵埃捕集手段の耐久性を確保し、且つ、高い除塵効果を得られるよう最適な塵埃捕集手段に対する除塵が行える電気掃除機を提供できる。
【図面の簡単な説明】
【図１】本発明の第１の実施例を示す電気掃除機の制御のブロック図
【図２】同電気掃除機の本体の概略構成図
【図３】同電気掃除機の吸引風量動作説明図
【図４】本発明の第２の実施例を示す電気掃除機の制御のブロック図
【図５】本発明の第３の実施例を示す電気掃除機の制御のブロック図
【図６】同電気掃除機の本体の概略構成図
【図７】同電気掃除機の塵埃質検出手段の構成図
【図８】同電気掃除機のゴミ質判定説明図
【図９】同電気掃除機の床面判断説明図
【図１０】本発明の第４の実施例を示す電気掃除機の制御のブロック図
【図１１】従来の電気掃除機の概略構成図
【符号の説明】
２  電動送風機
４  操作手段
２０  制御手段
２１  振動制御手段
２２  マイクロコンピュータ
２３  振動板
２４  電磁石
２５  振動装置（除塵手段）
２６  状態検出手段
２７  アクチュエータ
２８  間隔計時手段
２９  動作計時手段
【図１】
2004154212.tif 000003
【図２】
2004154212.tif 000004
【図３】
2004154212.tif 000005
【図４】
2004154212.tif 000006
【図５】
2004154212.tif 000007
【図６】
2004154212.tif 000008
【図７】
2004154212.tif 000009
【図８】
2004154212.tif 000010
【図９】
2004154212.tif 000011
【図１０】
2004154212.tif 000012
【図１１】
2004154212.tif 000013